(57)【要約】【課題】映像信号の種類が変化したときに行う処理に掛ける時間を短くできるようにする。【解決手段】プロジェクターの制御部１０は、映像信号の種類が変化した場合、画質優先モードの場合には、第１調整部１３３、映像効果部１３４、フィルター部１３５、第２調整部１３６及び第３調整部１３７を制御し、映像の明るさ、コントラスト、アスペクト比、台形補正、色合い、色の濃さ、色温度などを変化後の映像信号に適したものに設定する。制御部１０は、映像信号の種類が変化した場合、速度優先モードの場合には、第２調整部１３６のみを制御し、アスペクト比と台形補正とを変化後の映像信号に適したものに設定し、映像の明るさ、コントラスト、色合い、色の濃さ、色温度などについては、設定を変更しない。【選択図】図２
2015125346.tif 000002
【特許請求の範囲】
【請求項１】
複数の映像処理機能と、
前記複数の映像処理機能のうち予め定められた映像処理機能について、表示する映像信号の種類に対応した設定を行う第１モードと、前記複数の映像処理機能のうち前記第１モードより多くの映像処理機能について、表示する映像信号の種類に対応した設定を行う第２モードのいずれかを選択する選択手段と、
表示する映像信号の種類が変化した場合において、前記第１モードが選択されているときは、前記予め定められた映像処理機能の設定を行い、前記第２モードが選択されているときは、前記複数の映像処理機能のうち前記第１モードより多くの映像処理機能について設定を行う設定手段と、
を備える表示装置。
【請求項２】
前記設定手段は、前記第１モードが選択されているときは、少なくとも表示する映像のアスペクト比を設定する
請求項１に記載の表示装置。
【請求項３】
自装置の電源がオンにされた場合、前記選択手段は、前記第１モードを選択し、第２モードを選択する操作が行われた場合、前記選択手段は、前記第２モードを選択し、前記設定手段は、前記第１モードのときより多くの映像処理機能について設定を行う
請求項１又は請求項２に記載の表示装置。
【請求項４】
前記第１モードが選択されているときに前記設定手段が設定する映像処理機能を、自装置の操作者が指定した映像処理機能とする
請求項１乃至請求項３のいずれか一項に記載の表示装置。
【請求項５】
前記設定手段が前記第１モードでは設定せず、前記第２モードで設定する映像処理機能について、自装置の操作者により設定が変更された場合、前記選択手段は、前記第２モードを選択し、前記設定手段は、前記第１モードのときより多くの映像処理機能について設定を行う
請求項１乃至請求項４のいずれか一項に記載の表示装置。
【請求項６】
前記設定手段が映像処理機能の設定を行う前においては、表示する映像を予め定められた映像とし、前記設定手段が映像処理機能の設定を終了すると、映像信号の映像を表示する表示制御手段
を備える請求項１乃至請求項５のいずれか一項に記載の表示装置。
【請求項７】
複数の映像処理機能のうち予め定められた映像処理機能について、表示する映像信号の種類に対応した設定を行う第１モードと、前記複数の映像処理機能のうち前記第１モードより多くの映像処理機能について、表示する映像信号の種類に対応した設定を行う第２モードのいずれかを選択する選択手段と、
表示する映像信号の種類が変化した場合において、前記第１モードが選択されているときは、前記予め定められた映像処理機能の設定を行い、前記第２モードが選択されているときは、前記複数の映像処理機能のうち前記第１モードより多くの映像処理機能について設定を行う設定手段と、
を備える制御装置。
【請求項８】
複数の映像処理機能のうち予め定められた映像処理機能について、表示する映像信号の種類に対応した設定を行う第１モードと、前記複数の映像処理機能のうち前記第１モードより多くの映像処理機能について、表示する映像信号の種類に対応した設定を行う第２モードのいずれかを選択する選択ステップと、
表示する映像信号の種類が変化した場合において、前記第１モードが選択されているときは、前記予め定められた映像処理機能の設定を行い、前記第２モードが選択されているときは、前記複数の映像処理機能のうち前記第１モードより多くの映像処理機能について設定を行う設定ステップと、
を備える制御方法。
【発明の詳細な説明】
【技術分野】
【０００１】
本発明は、映像信号に応じて映像処理を行う技術に関する。
【背景技術】
【０００２】
映像を表示するためのデバイスの設定を映像信号に適したものとし、映像信号が切り替わった際に映像の切り替えに要する時間を短くする発明として、例えば、特許文献１に開示されたプロジェクターがある。このプロジェクターは、複数の入力端子のそれぞれについて、入力される映像信号の種類を特定する。また、このプロジェクターは、特定した映像信号を示す識別子を入力端子と対応付けて記憶し、特定した映像信号の種類に適したデータを各デバイスに付与する。このプロジェクターは、入力端子を切り替える操作が行われると、切り替え後の入力端子に対応付けて記憶されている識別子に基づいて映像信号の種類を特定し、特定した種類に適したデータを各デバイスに付与する。特許文献１のプロジェクターによれば、入力端子を切り替える操作が行われたときには、入力されている映像信号の種類を特定せず、記憶した識別子に基づいて各デバイスへ映像信号に適したデータを設定するため、映像信号の種類を特定しない分、映像を切り替える時間が短くなる。
【先行技術文献】
【特許文献】
【０００３】
【特許文献１】特開２００３−１９５４１５号公報
【発明の概要】
【発明が解決しようとする課題】
【０００４】
ところで、映像を表示する装置においては、画質やアスペクト比など、映像に関係する機能が多いと、それに応じて多数の設定を行うことになり、設定において使用するデータも多くなる。各項目を設定するときには、マイクロコンピュータが各種機能に係るデバイスへバスを介してデータを送り、デバイスを制御するが、データの数が多いと、データの設定が完了するまでに時間がかかり、特許文献１の技術で映像信号の種類を特定していたとしても、映像の切り替えに係る時間が長くなる。
【０００５】
本発明は、上述した事情に鑑みてなされたものであり、その目的の一つは、映像信号の種類が変化したときに行う処理に掛ける時間を短くできる技術を提供することにある。
【課題を解決するための手段】
【０００６】
上記目的を達成するために、本発明に係る表示装置は、複数の映像処理機能と、前記複数の映像処理機能のうち予め定められた映像処理機能について、表示する映像信号の種類に対応した設定を行う第１モードと、前記複数の映像処理機能のうち前記第１モードより多くの映像処理機能について、表示する映像信号の種類に対応した設定を行う第２モードのいずれかを選択する選択手段と、表示する映像信号の種類が変化した場合において、前記第１モードが選択されているときは、前記予め定められた映像処理機能の設定を行い、前記第２モードが選択されているときは、前記複数の映像処理機能のうち前記第１モードより多くの映像処理機能について設定を行う設定手段と、を備える。
本発明によれば、第１モードが選択されているときは、複数の映像処理機能について設定する数が少なくなるため、映像信号の種類が変化したときに行う処理に掛ける時間を短くすることができる。
【０００７】
本発明においては、前記設定手段は、前記第１モードが選択されているときは、少なくとも表示する映像のアスペクト比を設定する構成としてもよい。
この構成によれば、表示される映像は、映像信号の種類に応じたものとなるため、映像信号に適したアスペクト比の映像を視聴することができる。
【０００８】
また、本発明においては、自装置の電源がオンにされた場合、前記選択手段は、前記第１モードを選択し、第２モードを選択する操作が行われた場合、前記第２モードを選択し、前記設定手段は、前記第１モードのときより多くの映像処理機能について設定を行う構成としてもよい。
この構成によれば、電源オンとされた場合、複数の映像処理機能について設定する数が少なくなるため、映像が表示されるまでの時間を短くすることができる。
【０００９】
また、本発明においては、前記第１モードが選択されているときに前記設定手段が設定する映像処理機能を、自装置の操作者が指定した映像処理機能とする構成としてもよい。
この構成によれば、映像が表示されるまでの時間を操作者の指定に応じて変更することができる。
【００１０】
また、本発明においては、前記設定手段が前記第１モードでは設定せず、前記第２モードで設定する映像処理機能について、自装置の操作者により設定が変更された場合、前記選択手段は、前記第２モードを選択し、前記設定手段は、前記第１モードのときより多くの映像処理機能について設定を行う構成としてもよい。
この構成によれば、映像処理機能の設定が操作者により行われた場合、第１モードのときより操作者に適した映像を表示することができる。
【００１１】
また、本発明においては、前記設定手段が映像処理機能の設定を行う前においては、表示する映像を予め定められた映像とし、前記設定手段が映像処理機能の設定を終了すると、映像信号の映像を表示する表示制御手段を備える構成としてもよい。
この構成によれば、設定を変更するときに生じる映像の乱れを操作者に視認させないようにすることができる。
【００１２】
また、本発明に係る制御装置は、複数の映像処理機能のうち予め定められた映像処理機能について、表示する映像信号の種類に対応した設定を行う第１モードと、前記複数の映像処理機能のうち前記第１モードより多くの映像処理機能について、表示する映像信号の種類に対応した設定を行う第２モードのいずれかを選択する選択手段と、表示する映像信号の種類が変化した場合において、前記第１モードが選択されているときは、前記予め定められた映像処理機能の設定を行い、前記第２モードが選択されているときは、前記複数の映像処理機能のうち前記第１モードより多くの映像処理機能について設定を行う設定手段と、を備える。
本発明によれば、第１モードが選択されている場合には、複数の映像処理機能について設定する数が少なくなるため、映像信号の種類が変化したときに行う処理に掛ける時間を短くすることができる。
【００１３】
なお、本発明は、制御装置のほか、制御方法としても概念することが可能である。
【図面の簡単な説明】
【００１４】
【図１】本発明の実施形態に係るプロジェクター１のハードウェア構成を示した図。
【図２】映像処理部１３の構成を示したブロック図。
【図３】プロジェクター１において実現する機能の構成を示したブロック図。
【図４】制御部１０が行う処理の流れを示したフローチャート。
【図５】制御部１０が行う処理の流れを示したフローチャート。
【発明を実施するための形態】
【００１５】
［実施形態］
（実施形態の構成）
図１は、本発明の一実施形態に係るプロジェクター１のハードウェア構成を示した図である。プロジェクター１は、前面投射型の液晶プロジェクターであり、本発明に係る表示装置の一例である。プロジェクター１は、入力された映像信号が表す映像をスクリーンに投射する。
【００１６】
操作部１１は、プロジェクター１を操作するための複数のボタンを備えている。操作されたボタンに応じて制御部１０が各部を制御することにより、スクリーンに投射される映像の調整や、プロジェクター１が有する各種機能の設定などを行うことができる。
【００１７】
ＯＳＤ（On Screen Display）部１５は、制御部１０により制御され、プロジェクター１の各種機能の設定を行うためのメニュー画像や、プロジェクター１が表示する映像の画質を調整するためのメニュー画像、プロジェクター１の状態を示す文字列の画像などを生成し、生成した画像を表すＯＳＤ信号を映像処理部１３へ供給する。
【００１８】
映像処理部１３は、外部装置から供給される映像信号やＯＳＤ部１５から供給されるＯＳＤ信号を取得する。映像処理部１３は、複数の映像処理機能を備えており、供給された映像信号に対して各種処理を施す。また、映像処理部１３は、映像信号にＯＳＤ信号を重畳して得られた映像信号を表示部１４へ供給する。
【００１９】
図２は、映像処理部１３の構成を示した図である。選択部１３１は、映像信号が入力される複数の端子を有しており、例えば、ＨＤＭＩ（登録商標）（High-Definition Multimedia Interface）の端子や、コンポーネント信号が入力されるコンポーネント端子、コンポジット信号が入力されるコンポジット端子、コンピュータ装置から出力された映像信号が入力されるＶＧＡ端子などを有している。選択部１３１は、制御部１０により制御され、複数の端子のうちのいずれかの端子を特定部１３２へ接続する。特定部１３２へ接続された端子に入力された映像信号は、特定部１３２へ供給される。
【００２０】
特定部１３２は、映像信号の有無や供給された映像信号の種類を特定する。特定部１３２は、選択部１３１から映像信号が供給されていない場合、映像信号が無いことを制御部１０へ通知し、選択部１３１から映像信号が供給されている場合、映像信号があることを制御部１０へ通知する。また、特定部１３２は、映像信号が表す映像の解像度や、映像信号が表す映像のサイズ（４：３、１６：９、スクイーズ、レターボックス）を特定し、特定結果を制御部１０へ通知する。特定部１３２は、選択部１３１から供給された映像信号を第１調整部１３３へ供給する。
【００２１】
第１調整部１３３は、プロジェクター１が表示する映像の明るさやコントラストの調整を行う機能を有している。第１調整部１３３は、制御部１０により制御され、特定部１３２から供給された映像信号に対して明るさやコントラストの調整処理を施し、調整処理が施された後の映像信号を映像効果部１３４へ供給する。なお、明るさやコントラストの調整については、明るさやコントラストの調整度合いを示すデータを制御部１０から映像処理部１３へ送ると、第１調整部１３３は、制御部１０から送られたデータに応じて映像信号に調整処理を施す。
【００２２】
映像効果部１３４は、供給される映像信号の解像度を高める超解像機能、映像信号における前後のフレームから中間のフレームを生成するフレーム補間機能、２Ｄ映像を３Ｄ映像に変換する２Ｄ−３Ｄ変換機能などを有している。各機能のオン／オフの制御については、オン／オフの制御を行うためのデータを制御部１０から映像処理部１３へ送ると、映像効果部１３４は、制御部１０から送られたデータに応じて映像信号に画像処理を施す。なお、映像効果部１３４は、供給される映像信号に対して、オンである機能については対応する画像処理を施し、画像処理が施された映像信号をフィルター部１３５へ供給する。また、映像効果部１３４が有する機能について、全ての機能をオフとした場合には、供給された映像信号に画像処理が施されずにフィルター部１３５へ供給される。
【００２３】
フィルター部１３５は、映像信号が表す映像中の輪郭（シャープネス）を調整する機能を有している。フィルター部１３５は、制御部１０により制御され、映像中の輪郭を調整する処理を映像信号に施し、処理が施された映像信号を第２調整部１３６へ供給する。なお、輪郭の調整については、輪郭の調整度合いを表すデータを制御部１０から映像処理部１３へ送ると、フィルター部１３５は、制御部１０から送られたデータに応じて、映像中の輪郭を調整する処理を映像信号に施す。
【００２４】
第２調整部１３６は、表示する映像のアスペクト比を調整する機能や、表示する映像の台形補正を行う機能を有している。また、第２調整部１３６は、ＯＳＤ部１５から供給されるＯＳＤ信号をフィルター部１３５から供給された映像信号に重畳する機能を有している。第２調整部１３６は、制御部１０により制御され、映像信号に対してアスペクト比を調整する処理や台形補正の処理を施し、各種処理が施された映像信号を第３調整部１３７へ供給する。なお、映像のアスペクト比としては、例えばノーマル、フル、ズームの３種類があり、プロジェクター１は、アスペクト比をノーマルとする場合には、映像信号が示す映像の縦横比を変更せずにそのまま表示する。また、プロジェクター１は、アスペクト比をフルとする場合には、映像信号が示す映像の縦横比を１６：９とし、アスペクト比をズームにする場合には、映像信号が示す映像を拡大し、且つ縦横比を１６：９とする。
アスペクト比や台形補正の調整量については、調整量を表すデータを制御部１０から映像処理部１３へ送ると、第２調整部１３６は、制御部１０から送られたデータに応じて、アスペクト比の調整や台形補正を行う。
【００２５】
第３調整部１３７は、色の濃さや色合い、色温度などの調整を行う機能を有している。第３調整部１３７は、制御部１０により制御され、第２調整部１３６から供給される映像信号に対して、色の濃さや色合い、色温度などの調整処理を施し、調整処理が施された映像信号を表示部１４へ供給する。なお、色の濃さや色合い、色温度の調整量については、調整量を示すデータを制御部１０から映像処理部１３へ送ると、第３調整部１３７は、制御部１０から送られたデータに応じて、色の濃さや色合い、色温度などの調整を行う。
【００２６】
図１に戻り、表示部１４は、光源１４１、ライトバルブ１４２、駆動回路１４４及び投射レンズ１４３を有している。光源は、光を発するランプであり、光源が発した光は、図示省略した複数のダイクロイックミラーやミラーによって赤、緑、青の光に分光され、分光された赤、緑、青の光はライトバルブ１４２に導かれる。
【００２７】
駆動回路１４４は、映像処理部１３から供給される映像信号を取得する。駆動回路１４４に供給される映像信号は、投写する映像における赤の成分の階調を表す階調データ、投写する映像における緑の成分の階調を表す階調データ及び投写する映像における青の成分の階調を表す階調データを有する。駆動回路１４４は、赤、緑、青の各色の階調データを抽出し、抽出した各色の階調データに基づいてライトバルブ１４２を駆動する。
【００２８】
ライトバルブ１４２は、赤の光が入射する液晶ライトバルブ、緑の光が入射する液晶ライトバルブ、及び青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、駆動回路１４４によって各画素が制御されて画素の透過率が変化する。画素の透過率が制御されることにより、液晶ライトバルブを透過した各色の光は、各階調データに対応した映像となる。液晶ライトバルブを透過した赤、緑、青の光の映像は、図示省略したダイクロイックプリズムにより合成されて投射レンズ１４３に入射する。投射レンズ１４３は、入射した映像を拡大するレンズであり、入射した映像を拡大してスクリーンに投写する。
【００２９】
制御部１０は、ＣＰＵ（Central Processing Unit）、ＲＯＭ（Read Only Memory）及びＲＡＭ（Random Access Memory）を備えたマイクロコンピュータであり、本発明に係る制御装置の一例である。ＲＯＭに記憶されているプログラムをＣＰＵが実行すると、プロジェクター１においては、制御部１０が各部を制御し、外部装置から入力された映像信号が表す映像をスクリーンに投射する機能や各種機能が実現する。
【００３０】
例えば、プロジェクター１においては、映像処理部１３が有する機能について、ＯＳＤによるメニューを用いてオン／オフや調整量を設定する機能が実現する。各種機能についてメニューを用いて設定されたオン／オフや調整量を示すデータは、不揮発性メモリーを有する記憶部１２に記憶される。制御部１０は、記憶部１２に記憶されたデータに基づいて映像処理部１３を制御する。
【００３１】
また、プロジェクター１においては、操作者により指定されたカラーモードに応じた画質で映像を表示する機能が実現する。カラーモードとしては、例えば、「ダイナミック」、「ナチュラル」、「ステージ」、「シネマ」などのモードがある。「ダイナミック」は明るい部屋での使用に適したモードであり、「ナチュラル」は暗い部屋での使用に適したモードである。また、「ステージ」は、舞台などの映像を暗い部屋で視聴するのに適したモードであり、「シネマ」は、映画やコンサートなどの映像を暗い部屋で視聴するのに適したモードである。プロジェクター１においては、複数のカラーモード毎に映像の色合いや明るさ、輪郭、色の濃さ、コントラスト、色温度などの調整量が操作者により設定され、設定された調整量を示すデータが記憶部１２に記憶される。制御部１０は、操作者により指定されたカラーモードに対応付けられたデータを記憶部１２から取得し、取得したデータに基づいて映像処理部１３を制御する。
【００３２】
また、プロジェクター１においては、表示する映像の画質やアスペクト比を、特定部１３２が特定した映像信号の種類に応じて調整する機能が実現する。操作者がＯＳＤによるメニューを用いて映像信号の種類毎にアスペクト比やカラーモード、超解像機能のオン／オフ、フレーム補間機能のオン／オフ、２Ｄ−３Ｄ変換機能のオン／オフを、台形補正の補正量を設定する操作を行うと、映像信号の種類毎に、当該映像信号を表示するときのアスペクト比やカラーモード、超解像機能のオン／オフ、フレーム補間機能のオン／オフ、２Ｄ−３Ｄ変換機能のオン／オフ、台形補正の補正量が対応付けて記憶部１２に記憶される。制御部１０は、特定部１３２が特定した映像信号の種類に対応付けられて記憶されているデータを記憶部１２から取得し、取得したデータに基づいて映像処理部１３を制御する。
【００３３】
また、プロジェクター１においては、特定した映像信号の種類に応じてアスペクト比や画質、台形補正、各種機能のオン／オフを変更する際に、画質を優先する画質優先モード（第２モード）と、映像を表示するまでの時間が画質優先モードより短い速度優先モード（第１モード）とが実現する。画質優先モードは、映像信号の種類が変化すると、制御部１０が映像信号の種類に応じて第１調整部１３３、映像効果部１３４、フィルター部１３５、第２調整部１３６及び第３調整部１３７を制御するモードである。制御部１０は、操作者の操作により画質優先モードを指定されると、映像信号の種類が変化した場合、明るさ、コントラスト、超解像機能、フレーム補間機能、２Ｄ−３Ｄ変換機能、輪郭、アスペクト比、台形補正、色の濃さ、色合い、色温度の制御を行う。一方、速度優先モードは、映像信号の種類が変化すると、制御部１０が映像信号の種類に応じて第２調整部１３６を制御するモードである。制御部１０は、操作者の操作により速度優先モードが指定されると、映像信号の種類が変化した場合、アスペクト比及び台形補正の制御を行う。
【００３４】
画質優先モードと速度優先モードとを比較すると、映像処理部１３を制御するときに制御部１０から映像処理部１３へ送るデータの数が異なり、映像処理部１３へ送られるデータの数は、画質優先モードのほうが速度優先モードより多くなっている。なお、画質優先モードと速度優先モードの切り替えは、本実施形態においては、操作部１１に設けられたボタンを押す毎に画質優先モードと速度優先モードとが交互に切り替えられるが、ＯＳＤによるメニューで切り替えを行ってもよい。
【００３５】
図３は、本実施形態において実現する機能の構成を示したブロック図である。
選択部１０１は、画質優先モードと速度優先モードの一方を選択する選択手段の一例である。選択部１０１は、操作部１１で行われた操作に応じて、画質優先モードと速度優先モードのいずれか一方を選択する。
設定部１０２は、映像処理部１３が有する各種映像処理機能の設定を行う設定手段の一例である。設定部１０２は、選択部１０１が選択しているモードと、映像処理部１３が特定した映像信号の種類とに応じて、映像処理部１３を制御し、アスペクト比の調整や台形補正、画質調整などの各種機能について、表示する映像信号の種類に応じた設定を行う。
表示制御部１０３は、表示部１４を制御する表示制御手段の一例である。表示制御部１０３は、表示部１４を制御し、表示する映像について、全面黒の映像と、映像信号の映像とを切り替える。
【００３６】
（実施形態の動作例）
図４、５は、制御部１０が行う処理の流れを示したフローチャートである。以下、図４、５を用いて本実施形態の動作例について説明する。なお、以下の説明においては、アスペクト比が４：３の映像信号が特定部１３２に供給されている場合には、アスペクト比をノーマルとし、アスペクト比がレターボックスの映像信号が特定部１３２に供給されている場合には、アスペクト比をズームとするように設定されている場合を想定して動作説明を行う。また、以下の説明においては、アスペクト比が４：３の映像信号が特定部１３２に供給されている場合には、カラーモードをダイナミックとし、アスペクト比がレターボックスの映像信号が特定部１３２に供給されている場合には、カラーモードをシネマとするように設定されている場合を想定して動作説明を行う。
【００３７】
まず、画質優先モードが選択されている状態で特定部１３２へ供給される映像信号の種類が変化したときの動作を説明する。特定部１３２に４：３の映像の映像信号が供給されている場合には、制御部１０が映像処理部１３を制御することにより、表示される映像のアスペクト比はノーマルにされており、カラーモードはダイナミックにされている。この状態において、特定部１３２へ供給される映像信号が変化し、レターボックスの映像の映像信号が特定部１３２へ供給されると、特定部１３２は、映像信号の種類がレターボックスであることを特定する。
【００３８】
制御部１０（設定部１０２）は、特定部１３２へ供給されている映像信号の種類を特定する（ステップＳＡ１）。具体的には、制御部１０は、映像信号の種類を映像処理部１３へ問い合わせる。映像処理部１３は、特定部１３２が特定した映像信号の種類を制御部１０からの問合せに応じて制御部１０へ通知する。制御部１０は、この通知により、特定部１３２に供給されている映像信号の種類を特定する。
【００３９】
制御部１０は、映像処理部１３へ問い合わせる前に特定していた映像信号の種類と、映像処理部１３へ問い合わせた後で特定した映像信号の種類とが同じである場合（ステップＳＡ２でＮＯ）、映像信号の種類が変化していないと判断し、処理の流れをステップＳＡ１へ戻す。一方、制御部１０は、ここでは、映像処理部１３へ問い合わせる前に特定していた映像信号の種類と、映像処理部１３へ問い合わせた後で特定した映像信号の種類とが異なるため（ステップＳＡ２でＹＥＳ）、速度優先モードが指定されているか判断する。
【００４０】
制御部１０（設定部１０２）は、操作者の操作により画質優先モードが指定されている場合（ステップＳＡ３でＮＯ）、特定した映像信号の種類に応じて画質調整やアスペクト比の調整、超解像機能のオン／オフの設定、フレーム補間機能のオン／オフの設定、２Ｄ−３Ｄ変換機能のオン／オフ設定及び台形補正に係るデータの取得を行う（ステップＳＡ５）。
具体的には、制御部１０は、特定した映像信号の種類に対応付けて記憶されているアスペクト比やカラーモード、超解像機能のオン／オフの設定、フレーム補間機能のオン／オフの設定、２Ｄ−３Ｄ変換機能のオン／オフ設定及び台形補正の補正量を記憶部１２から取得する。ここで、映像信号の映像がレターボックスである場合、読み出されるアスペクト比は「ズーム」となり、読み出されるカラーモードは「シネマ」となる。制御部１０は、カラーモードの「シネマ」に対応付けて記憶されている色合いや明るさ、輪郭、色の濃さ、コントラスト、色温度などのデータを記憶部１２から取得する。
【００４１】
次に制御部１０（表示制御部１０３）は、表示する映像が黒となるように表示部１４を制御する（ステップＳＡ６）。表示部１４においては、光源１４１の光が投射レンズ１４３に到達しないように駆動回路１４４がライトバルブ１４２を制御する。ここで、映像信号の内容に関係なく、黒の映像が表示されるため、ステップＳＡ６の後で映像のアスペクト比や画質を変更する処理を行った場合、その変更の経過は、映像の視聴者には視認されないこととなる。
【００４２】
制御部１０（設定部１０２）は、記憶部１２からデータを取得すると、取得したデータに基づいて映像処理部１３を制御する（ステップＳＡ７）。ここで、ステップＳＡ７は、映像処理部１３が有する機能の設定を行う設定ステップの一例である。制御部１０は、記憶部１２から取得したデータを映像処理部１３へ送る。映像処理部１３においては、第１調整部１３３は、制御部１０から送られたデータに応じて映像の明るさやコントラストを調整する処理を映像信号に施し、映像効果部１３４は、超解像機能、フレーム補間機能及び２Ｄ−３Ｄ変換機能について、オンとするデータが送られた機能については、対応する画像処理を映像信号に施す。また、フィルター部１３５は、制御部１０から送られたデータに応じて映像の輪郭を調整する処理を映像信号に施し、第２調整部１３６は、制御部１０から送られたデータに応じて映像のアスペクト比の調整や台形補正の処理を映像信号に施す。また、第３調整部１３７は、制御部１０から送られたデータに応じて、色の濃さ、色合い、色温度を調整する処理を映像信号に施す。
【００４３】
制御部１０（表示制御部１０３）は、ステップＳＡ７の処理が終了すると、第３調整部１３７から供給される映像信号に応じた映像が表示されるように表示部１４を制御する（ステップＳＡ８）。表示部１４においては、第３調整部１３７から供給される映像信号に基づいて駆動回路１４４がライトバルブ１４２を制御する。表示する映像のアスペクト比や画質の変更が終了した後で映像信号の映像が投射されるため、アスペクト比や画質の変更の経過は、映像の視聴者には視認されないこととなる。
【００４４】
このように、操作者により画質優先モードが指定されている場合、映像信号の種類が変化すると、第１調整部１３３、映像効果部１３４、フィルター部１３５、第２調整部及び第３調整部１３７が制御され、特定部１３２へ供給された映像信号の種類に応じたアスペクト比及び画質の映像を表示することができる。
【００４５】
次に、操作部１１にある画質優先モードと速度優先モードを切り替えるボタンを、画質優先モードのときに操作者が操作すると（ステップＳＢ１でＮＯ）、制御部１０（選択部１０１）は、画質優先モードから速度優先モードに切り替える（ステップＳＢ２）。つまり、ステップＳＢ２は、画質優先モードと速度優先モードのいずれか一方を選択する選択ステップの一例である。画質優先モードから速度優先モードに切り替えた後、選択部１３１に供給される映像信号の種類がレターボックスから変化し、アスペクト比が４：３の映像の映像信号が供給されると、この映像信号が特定部１３２へ供給される。特定部１３２は、４：３の映像の映像信号が供給されると、映像信号の種類が４：３であることを特定する。
【００４６】
制御部１０（設定部１０２）は、特定部１３２へ供給されている映像信号の種類を特定する（ステップＳＡ１）。ここで制御部１０は、映像処理部１３へ問い合わせる前に特定していた映像信号の種類と、映像処理部１３へ問い合わせた後で特定した映像信号の種類とが異なるため（ステップＳＡ２でＹＥＳ）、速度優先モードが指定されているか判断する。制御部１０（設定部１０２）は、操作者の操作により速度優先モードが指定されている場合（ステップＳＡ３でＹＥＳ）、特定した映像信号の種類に応じてアスペクト比の調整と台形補正に係るデータの取得を行う（ステップＳＡ４）。具体的には、制御部１０は、特定した映像信号の種類に対応付けて記憶されているアスペクト比と台形補正の補正量を記憶部１２から取得する。ここで、映像信号の映像のアスペクト比が４：３である場合、読み出されるアスペクト比は「ノーマル」となる。なお、制御部１０は、速度優先モードにおいては、映像信号の種類が変化すると、アスペクト比の調整と台形補正を行い、画質については変更しないため、ここではカラーモードやカラーモードに係るデータ、超解像機能、フレーム補間機能及び２Ｄ−３Ｄ変換機能のオン／オフのデータについては記憶部１２から取得しない。
【００４７】
次に制御部１０（表示制御部１０３）は、表示する映像が黒となるように表示部１４を制御する（ステップＳＡ６）。ここで、映像信号の内容に関係なく、黒の映像が表示されるため、ステップＳＡ６の後で映像のアスペクト比を変更する処理や台形補正を行った場合、その変更の経過は、映像の視聴者には視認されないこととなる。
【００４８】
制御部１０（設定部１０２）は、記憶部１２からデータを取得すると、取得したデータに基づいて映像処理部１３を制御する（ステップＳＡ７）。ここで、ステップＳＡ７は、映像処理部１３が有する機能の設定を行う設定ステップの一例である。制御部１０は、記憶部１２から取得したデータを映像処理部１３へ送る。なお、制御部１０は、速度優先モードにおいては、アスペクト比の調整と台形補正以外の処理を行わないため、ここでは、明るさ、コントラスト、超解像機能、フレーム補間機能、２Ｄ−３Ｄ変換機能、輪郭、色の濃さ、色合い、色温度などのデータを映像処理部１３へ送らないこととなる。
【００４９】
映像処理部１３においては、第２調整部１３６は、制御部１０から送られたデータに応じて映像のアスペクト比の調整や台形補正の処理を映像信号に施す。なお、映像処理部１３においては、明るさ、コントラスト、超解像機能、フレーム補間機能、２Ｄ−３Ｄ変換機能、輪郭、色の濃さ、色合い、色温度などのデータが送られてこないため、映像信号が変わっても画質は変化せず、カラーモードは「シネマ」のままとなる。
【００５０】
制御部１０（表示制御部１０３）は、ステップＳＡ７の処理が終了すると、第３調整部１３７から供給される映像信号に応じた映像が表示されるように表示部１４を制御する（ステップＳＡ８）。表示部１４においては、第３調整部１３７から供給される映像信号に基づいて駆動回路１４４がライトバルブ１４２を制御する。これにより、表示する映像のアスペクト比の調整や台形補正が終了した後で映像が投射されるため、アスペクト比や台形補正の変更の経過は、映像の視聴者には視認されないこととなる。
【００５１】
このように、操作者により速度優先モードが指定された場合、映像信号の種類が変化しても、記憶部１２から取得するデータの数が少なく、第１調整部１３３、映像効果部１３４、フィルター部１３５及び第３調整部１３７が制御されないため、ステップＳＡ６の開始からステップＳＡ８の終了までに要する時間が画質優先モードのときより短くなり、映像が表示されるまでの時間が短くなる。
【００５２】
次に、操作部１１にある画質優先モードと速度優先モードを切り替えるボタンを、速度優先モードのときに操作者が操作すると（ステップＳＢ１でＹＥＳ）、制御部１０（選択部１０１）は、速度優先モードから画質優先モードに切り替える（ステップＳＢ３）。つまり、ステップＳＢ３は、速度優先モードと画質優先モードのいずれか一方を選択する選択ステップの一例である。制御部１０（設定部１０２）は、速度優先モードから画質優先モードに変更した場合、特定している映像信号の種類に応じて画質調整やアスペクト比の調整、超解像機能のオン／オフの設定、フレーム補間機能のオン／オフの設定、２Ｄ−３Ｄ変換機能のオン／オフ設定及び台形補正に係るデータの取得を行う（ステップＳＢ４）。具体的には、制御部１０は、特定した映像信号の種類に対応付けて記憶されているアスペクト比やカラーモード、超解像機能のオン／オフの設定、フレーム補間機能のオン／オフの設定、２Ｄ−３Ｄ変換機能のオン／オフ設定及び台形補正の補正量を記憶部１２から取得する。ここで、映像信号の映像が４：３である場合、読み出されるアスペクト比は「ノーマル」となり、読み出されるカラーモードは「ダイナミック」となる。制御部１０は、カラーモードの「ダイナミック」に対応付けて記憶されている色合いや明るさ、輪郭、色の濃さ、コントラスト、色温度などのデータを記憶部１２から取得する。
【００５３】
次に制御部１０（表示制御部１０３）は、表示する映像が黒となるように表示部１４を制御する（ステップＳＢ５）。表示部１４においては、光源１４１の光が投射レンズ１４３に到達しないように駆動回路１４４がライトバルブ１４２を制御する。ここで、映像信号の内容に関係なく、黒の映像が表示されるため、ステップＳＢ５の後で映像のアスペクト比や画質を変更する処理を行った場合、その変更の経過は、映像の視聴者には視認されないこととなる。
【００５４】
制御部１０（設定部１０２）は、記憶部１２からデータを取得すると、取得したデータに基づいて映像処理部１３を制御する（ステップＳＢ６）。ここで制御部１０は、記憶部１２から取得したデータを映像処理部１３へ送る。映像処理部１３においては、第１調整部１３３は、制御部１０から送られたデータに応じて映像の明るさやコントラストを調整する処理を映像信号に施し、映像効果部１３４は、超解像機能、フレーム補間機能及び２Ｄ−３Ｄ変換機能について、オンとするデータが送られた機能については、対応する画像処理を映像信号に施す。また、フィルター部１３５は、制御部１０から送られたデータに応じて映像の輪郭を調整する処理を映像信号に施し、第２調整部１３６は、制御部１０から送られたデータに応じて映像のアスペクト比の調整や台形補正の処理を映像信号に施す。また、第３調整部１３７は、制御部１０から送られたデータに応じて、色の濃さ、色合い、色温度を調整する処理を映像信号に施す。ここで、速度優先モードであったときにシネマの画質であった映像は、画質優先モードに切り替えたことにより、ダイナミックの画質となる。
【００５５】
制御部１０（表示制御部１０３）は、ステップＳＢ６の処理が終了すると、第３調整部１３７から供給される映像信号に応じた映像が表示されるように表示部１４を制御する（ステップＳＢ７）。表示部１４においては、第３調整部１３７から供給される映像信号に基づいて駆動回路１４４がライトバルブ１４２を制御する。表示する映像のアスペクト比や画質の変更が終了した後で映像信号の映像が投射されるため、アスペクト比や画質の変更の経過は、映像の視聴者には視認されないこととなる。
【００５６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５７】
上述した実施形態においては、表示装置の一例として前面投射型のプロジェクターを説明したが、背面投射型のプロジェクターであってもよい。また、プロジェクター１においては、ライトバルブは液晶を用いるものに限定されず、例えば、デジタルミラーデバイスを用いる構成であってもよい。また、本発明に係る表示装置は、映像を表示する装置であればプロジェクター１に限定されるものではなく、直視型のディスプレイ装置であってもよい。なお、直視型のディスプレイ装置としては、液晶ディスプレイ装置、ＣＲＴ（Cathode Ray Tube）を用いたディスプレイ装置、プラズマディスプレイ装置、有機ＥＬディスプレイ装置などであってもよい。
【００５８】
上述した実施形態においては、映像を黒にする処理（ステップＳＡ６、ステップＳＢ５）は、記憶部１２からデータを取得した後（ステップＳＡ４の後、ステップＳＡ５の後、ステップＳＢ４の後）に実行されているが、記憶部１２からデータを取得する前に映像を黒にする処理を実行するようにしてもよい。
【００５９】
上述した実施形態においては、速度優先モードにおいては、映像信号の種類が変化すると、アスペクト比の調整と台形補正を行う構成となっているが、この構成に限定されるものではない。例えば、直視型のディスプレイ装置においては、速度優先モードにおいて映像信号の種類が変化した場合、アスペクト比の調整のみを行うようにしてもよい。
また、上述した実施形態においては、速度優先モードにおいて映像信号の種類が変化した場合、超解像機能、フレーム補間機能、２Ｄ−３Ｄ変換機能及び画質については設定を行わない構成となっているが、各機能や画質のうち予め定められた項目については、速度優先モードのときにも設定するようにしてもよい。
要するに、速度優先モードにおいて映像信号の種類が変化したときに設定する項目は、上述した実施形態の項目に限定されるものではなく、表示装置の種類に応じて決定するようにしてもよい。
【００６０】
上述した実施形態においては、速度優先モードであるときに、明るさ、コントラスト、色の濃さ、色合い、色温度、超解像機能、フレーム補間機能、２Ｄ−３Ｄ変換機能のいずれかについて、メニューやボタンの操作で設定の変更がなされた場合、速度優先モードから画質優先モードに変更し、ステップＳＢ４からステップＳＢ７の処理を行うようにしてもよい。また、速度優先モードであるときに、明るさ、コントラスト、色の濃さ、色合い、色温度、超解像機能、フレーム補間機能、２Ｄ−３Ｄ変換機能のいずれかについて、メニューやボタンの操作で設定の変更がなされた場合、設定の変更がなされたものについてのみ、映像処理部１３を制御して変更するようにしてもよい。
上述した実施形態においては、制御部１０は、電源オンとなったときには速度優先モードとし、明るさ、コントラスト、色の濃さ、色合い、色温度、超解像機能、フレーム補間機能、２Ｄ−３Ｄ変換機能のいずれかについて、メニューやボタンの操作で設定の変更がなされた場合、速度優先モードから画質優先モードに変更し、ステップＳＢ４からステップＳＢ７の処理を行うようにしてもよい。
【００６１】
上述した実施形態においては、制御部１０は、明るさ、コントラスト、色の濃さ、色合い、色温度については、速度優先モードに切り替えたときに予め定められたデフォルトのデータを制御部１０から映像処理部１３へ送るようにしてもよい。また、上述した実施形態においては、超解像機能、フレーム補間機能、２Ｄ−３Ｄ変換機能については、速度優先モードに切り替えたときにオフに設定するようにしてもよい。
【００６２】
上述した実施形態においては、制御部１０は、画質優先モードである場合、ステップＳＡ７やステップＳＢ６において、アスペクト比と台形補正に係るデータを最初に映像処理部１３へ送り、他のデータを後で送るようにしてもよい。そして、この構成においては、アスペクト比と台形補正に係るデータを送り終えると、他のデータを映像処理部１３へ送る前にステップＳＡ８やステップＳＢ７の処理を行うようにしてもよい。
【００６３】
上述した実施形態においては、映像効果部１３４は、例えば、所謂４Ｋより解像度が低い映像を４Ｋの解像度に変換する解像度変換機能を有し、制御部１０は、画質優先モードのときには、解像度変換機能について、オン／オフの設定を行うようにしてもよい。
【００６４】
上述した実施形態においては、速度優先モードのときに映像信号の種類が変化すると、制御部１０はアスペクト比の調整と台形補正を行う構成となっているが、この構成に限定されるものではない。例えば、ＯＳＤのメニューにより、速度優先モードのときに制御する項目をプロジェクター１の操作者が設定できるようにしてもよい。
【００６５】
上述した実施形態においては、ステップＳＡ６やステップＳＢ６において、全面黒の映像が表示されるように表示部１４を制御しているが、全面青や全面グレーの映像が表示されるように表示部１４を制御してもよい。
【００６６】
上述した実施形態においては、映像信号の種類が変化した場合の一例として、選択部１３１において特定部１３２へ接続されている端子が変化しない状態で映像信号の映像のアスペクト比が変化した場合（例えば、レターボックスから４：３へ変化した場合）を示しているが、映像信号の種類が変化した場合とは、この例に限定されるものではない。例えば、選択部１３１において、特定部１３２へ接続される端子を映像信号が供給されているコンポジット端子からコンピュータ装置からの映像信号が供給されているＶＧＡ端子へ切り替えた場合のように、選択部１３１で選択する端子が切り替わった場合（入力ソースが切り替わった場合）も、映像信号の種類が変化するため、映像信号の種類が変化した場合に含まれる。要するに、選択部１３１で選択する端子を切り替えた場合も、映像信号の種類が変化した場合に含むことができる。また、例えば、コンポジット端子を特定部１３２へ接続している状態において、コンポジット端子に接続する外部機器を変更した場合や、コンポジット端子に接続されている外部機器において再生するコンテンツを変更した場合も、入力ソースが切り替わり、特定部１３２へ供給される映像信号の種類が変化し得るため、映像信号の種類が変化する場合に含まれる。このように入力ソースが切り替わった場合も、速度優先モードにおいては、上述した実施形態と同様に、ステップＳＡ６の開始からステップＳＡ８の終了までに要する時間が画質優先モードのときより短くなり、映像が表示されるまでの時間が短くなる。
【符号の説明】
【００６７】
１…プロジェクター、１０…制御部、１１…操作部、１２…記憶部、１３…映像処理部、１４…表示部、１５…ＯＳＤ部、１０１…選択部、１０２…設定部、１０３…表示制御部、１３１…選択部、１３２…特定部、１３３…第１調整部、１３４…映像効果部、１３５…フィルター部、１３６…第２調整部、１３７…第３調整部、１４１…光源、１４２…ライトバルブ、１４３…投射レンズ、１４４…駆動回路
【図１】
2015125346.tif 000003
【図２】
2015125346.tif 000004
【図３】
2015125346.tif 000005
【図４】
2015125346.tif 000006
【図５】
2015125346.tif 000007